(57)【特許請求の範囲】
【請求項１】
コンテンツを表示する表示部を備え、コンテンツ表示を中断した後、中断箇所からの再開を可能とする機能である再開機能を有し、中断時および再開時の少なくとも何れかに、中断箇所を示す情報である中断情報を上記表示部の中断情報表示領域に表示するコンテンツ表示装置において、
上記コンテンツの上記表示部における表示の中断指示または再開指示を受け付ける指示受付部と、
上記指示受付部が中断指示または再開指示を受け付けると、広告情報を取得する広告情報取得手段と、
上記広告情報取得手段が取得した広告情報を、上記中断情報表示領域に表示する表示制御手段と、
上記表示部に表示された複数の枠から１つを選択させるための選択画面を表示する選択画面表示手段と、
上記選択画面に表示された複数の上記枠から１つの枠の選択を受け付ける選択受付手段とを備え、
上記広告情報取得手段は、上記指示受付部が中断指示または再開指示を受け付けると、上記選択受付手段が選択を受け付けた枠毎に予め対応付けられた基準によって選択された広告情報を取得することを特徴とするコンテンツ表示装置。
【請求項２】
上記指示受付部は、上記中断情報表示領域の上記表示部における表示位置の選択、および、上記コンテンツの再生位置の選択を受け付け、
上記表示制御手段は、上記指示受付部が受け付けた再生位置における表示位置に、上記中断情報表示領域を配置することを特徴とする請求項１に記載のコンテンツ表示装置。
【請求項３】
上記広告情報取得手段は、広告情報を要求する広告情報要求を行って、広告情報を取得するものであり、
上記広告情報要求には、上記コンテンツに関する情報であるコンテンツ情報が含まれ、上記広告情報取得手段が取得する広告情報は、上記コンテンツ情報に基づいて選択された広告情報であることを特徴とする請求項１または２に記載のコンテンツ表示装置。
【請求項４】
上記コンテンツは電子書籍であり、上記コンテンツ情報は、該電子書籍の国際標準図書番号、該国際標準図書番号と上記指示受付部が中断指示を受け付けたときの当該電子書籍のページ、該ページに含まれるキーワード、上記国際標準図書番号と上記キーワード、および、上記国際標準図書番号と上記ページと上記キーワードの何れかであることを特徴とする請求項３に記載のコンテンツ表示装置。
【請求項５】
上記コンテンツは動画であり、上記コンテンツ情報は、該動画のタイトル、ジャンル、作成者、再生位置の少なくとも何れかであることを特徴とする請求項３に記載のコンテンツ表示装置。
【請求項６】
上記広告情報取得手段は、広告情報を要求する広告情報要求を行って、広告情報を取得するものであり、
上記広告情報要求には、自装置に関する情報である装置情報が含まれ、上記広告情報取得手段が取得する広告情報は、上記装置情報に基づいて選択された広告情報であることを特徴とする請求項１または２に記載のコンテンツ表示装置。
【請求項７】
上記装置情報は、自装置のＩＤ、自装置の位置を示す位置情報、現在時刻、自装置の表示画面の大きさ、および、自装置の表示画面の表示色数の少なくとも何れか１つであることを特徴とする請求項６に記載のコンテンツ表示装置。
【請求項８】
上記広告情報取得手段は、外部の広告サーバから上記広告情報を取得するものであり、
オフライン用広告情報を記憶している記憶部を備え、
上記広告情報取得手段は、上記広告サーバとの通信が不可能のとき、上記記憶部に記憶されているオフライン用広告情報を取得し、
上記表示制御手段は、上記広告情報取得手段が取得したオフライン用広告情報を表示することを特徴とする請求項１〜７のいずれか１項に記載のコンテンツ表示装置。
【請求項９】
広告情報の送信を求める広告情報要求であって、電子書籍の国際標準図書番号、該国際標準図書番号と当該電子書籍のページ、該ページに含まれるキーワード、上記国際標準図書番号と上記キーワード、および、上記国際標準図書番号と上記ページと上記キーワードの少なくとも何れかと、表示された複数のしおりのうち選択されたしおりを示すしおりＩＤとを含む広告選択情報が含まれる広告情報要求を受信する広告情報要求受信手段と、
上記広告情報要求受信手段が広告情報要求を受信すると、該広告情報要求に含まれる上記しおりＩＤ毎に予め対応付けられた基準によって広告情報を選択する広告情報選択手段と、
上記広告情報選択手段が選択した広告情報を、上記広告情報要求受信手段が受信した広告情報要求の送信元へ送信する広告情報送信手段と、を備えていることを特徴とするサーバ装置。
【請求項１０】
請求項４に記載のコンテンツ表示装置と、請求項９に記載のサーバ装置とを含むことを特徴とする広告情報配信システム。
【請求項１１】
コンテンツを表示する表示部を備え、コンテンツ表示を中断した後、中断箇所からの再開を可能とする機能である再開機能を有し、中断時および再開時の少なくとも何れかに、中断箇所を示す情報である中断情報を上記表示部の中断情報表示領域に表示するコンテンツ表示装置の制御方法であって、
上記コンテンツの表示部における表示の中断指示または再開指示を受け付ける指示受付部で中断指示または再開指示を受け付けると、広告情報を取得する広告情報取得ステップと、
上記広告情報取得ステップで取得した広告情報を、上記中断情報表示領域に表示する表示制御ステップと、を含み、さらに、
上記表示部に表示された複数の枠から１つを選択させるための選択画面を表示するステップと、
上記選択画面に表示された複数の上記枠から１つの枠の選択を受け付けるステップとを含み、
上記広告情報取得ステップでは、上記指示受付部が中断指示または再開指示を受け付けると、上記の選択を受け付けるステップで選択を受け付けた枠毎に予め対応づけられた基準によって選択された広告情報を取得することを特徴とするコンテンツ表示装置の制御方法。
【請求項１２】
請求項１〜８のいずれか１項に記載のコンテンツ表示装置を動作させるコンテンツ表示装置制御プログラムであって、コンピュータを上記の各手段として機能させるためのコンテンツ表示装置制御プログラム。
【請求項１３】
請求項１２に記載のコンテンツ表示装置制御プログラムを記録したコンピュータ読み取り可能な記録媒体。
【発明の詳細な説明】
【技術分野】
【０００１】
本発明は、コンテンツを表示するとともに、コンテンツにしおりを挟むことができるコンテンツ表示装置、サーバ装置、広告情報配信システム、コンテンツ表示装置の制御方法、コンテンツ表示装置制御プログラムおよび該プログラムを記録したコンピュータ読み取り可能な記録媒体に関するものである。
【背景技術】
【０００２】
近年、紙とインクを利用した印刷物ではなく、電子機器のディスプレイで読むことができる電子書籍と呼ばれる出版物が広く普及し始めている。電子書籍を読むことができる電子機器としては、携帯電話、パーソナルコンピュータ、または携帯情報端末（ＰＤＡ：Personal Digital Assistant）等を挙げることができる。
【０００３】
また、電子機器に書籍データを取り込んで表示するだけでなく、書籍データとともに広告データを配信し、広告を表示するといったことも行われている。
【０００４】
広告は、図８に示すように、画面の下（図８（ａ））や横（図８（ｂ））に広告枠８０３、８０６が設けられ、その中に表示されるものが多い。
【０００５】
また、特許文献１には、携帯コンテンツに対し、所定のタイミングで広告ページを挿入するサーバ装置が記載されている。
【０００６】
また、特許文献２には、ユーザ端末に書籍データと該書籍データに関連付けられた広告データとを送信するサーバを備えた電子出版システムが記載されている。特許文献２では、書籍データと広告データとが並んで表示される。
【０００７】
また、特許文献３には、時刻・季節・温度・場所等の環境情報によってコンテンツ内容を変更する電子ブック装置が記載されている。
【０００８】
また、特許文献４には、ホームページにＷｅｂしおりがコンテンツ要素として組み込まれ、Ｗｅｂしおりに対して所定の操作を行うと、閲覧者端末に、当該Ｗｅｂしおりに対応付けられているページが表示されるとともに、当該ページに基づいた広告情報が表示されるマーケティングシステムが記載されている。特許文献４では、閲覧しているホームページに重ねて広告が表示される。
【先行技術文献】
【特許文献】
【０００９】
【特許文献１】特開２００９−５９３１７号公報（２００９年３月１９日公開）
【特許文献２】特開２００７−１６４７２６号公報（２００７年６月２８日公開）
【特許文献３】特開２００４−２３４３１０号公報（２００４年８月１９日公開）
【特許文献４】特開２００７−２６１５６号公報（２００７年２月１日公開）
【発明の概要】
【発明が解決しようとする課題】
【００１０】
しかしながら、上記従来の構成では、以下の問題を生じる。すなわち、単にコンテンツに広告を挟む場合、予め決定された広告が表示されるのみなので、時機を逸した広告と七ってしまう可能性がある。
【００１１】
また、特許文献１の構成では、広告ページがコンテンツの間に挿入されて表示されるので、ユーザがコンテンツを閲覧するときの妨げとなってしまう。
【００１２】
また、特許文献２の構成では、広告はコンテンツと並べて表示されており、ユーザが広告を認知する可能性が低い。
【００１３】
また、特許文献４の構成では、コンテンツに重ねて広告が表示されるので、ユーザがコンテンツを閲覧するときの妨げとなってしまう。
【００１４】
なお、特許文献３には、広告の表示については記載されていない。
【００１５】
本発明は、上記の問題点に鑑みてなされたものであり、その目的は、ユーザのコンテンツ閲覧を妨げることなく、ユーザに対し時機に適った広告を提示するコンテンツ表示装置等を実現することにある。
【課題を解決するための手段】
【００１６】
上記課題を解決するために、本発明に係るコンテンツ表示装置は、コンテンツを表示する表示部を備え、コンテンツ表示を中断した後、中断箇所からの再開を可能とする機能である再開機能を有し、中断時および再開時の少なくとも何れかに、中断箇所を示す情報である中断情報を上記表示部の中断情報表示領域に表示するコンテンツ表示装置において、上記コンテンツの上記表示部における表示の中断指示または再開指示を受け付ける指示受付部と、上記指示受付部が中断指示または再開指示を受け付けると、広告情報を取得する広告情報取得手段と、上記広告情報取得手段が取得した広告情報を、上記中断情報表示領域に表示する表示制御手段と、を備えていることを特徴としている。
【００１７】
また、本発明に係るコンテンツ表示装置の制御方法は、コンテンツを表示する表示部を備え、コンテンツ表示を中断した後、中断箇所からの再開を可能とする機能である再開機能を有し、中断時および再開時の少なくとも何れかに、中断箇所を示す情報である中断情報を上記表示部の中断情報表示領域に表示するコンテンツ表示装置の制御方法であって、上記コンテンツの表示部における表示の中断指示または再開指示を受け付ける指示受付部で中断指示または再開指示を受け付けると、広告情報を取得する広告情報取得ステップと、上記広告情報取得ステップで取得した広告情報を、上記中断情報表示領域に表示するしおり表示ステップと、を含むことを特徴としている。
【００１８】
上記の構成または方法によれば、コンテンツ表示の中断指示または再開指示を受け付けると、取得した広告情報を、中断情報表示領域に表示する。なお、中断情報表示領域はコンテンツが表示されている領域と重ねられていてもよいし、コンテンツが表示されている領域と隣接しているものであってもよい。
【００１９】
これにより、コンテンツ表示の中断指示または再開指示を受け付けたときに、広告表示を行うことができる。よって、コンテンツの表示が中断または再開したときに広告表示を行うので、従来のように、コンテンツの表示の途中で広告が表示され、ユーザのコンテンツの閲覧が妨げられるということがない。
【００２０】
また、コンテンツ表示の中断指示または再開指示を受け付けたときに、広告情報を取得して、広告を表示するので、予め広告内容が決定している場合と比較して、時機にかなった広告を表示することができる。
【００２１】
本発明に係るコンテンツ表示装置では、上記表示部に表示された複数の枠から１つを選択させるための選択画面を表示する選択画面表示手段と、上記選択画面に表示された複数の上記枠から１つの枠の選択を受け付ける選択受付手段とを備え、上記広告情報取得手段は、上記指示受付部が中断指示または再開指示を受け付けると、上記選択受付手段が選択を受け付けた枠と対応付けられた広告情報選択手段によって選択された広告情報を取得し、上記表示制御手段は、上記選択受付手段が受け付けた枠に上記中断情報表示領域を配置して表示するものであってもよい。
【００２２】
上記の構成によれば、選択された枠と対応付けられた広告情報選択手段によって選択された広告情報広告情報を取得し、表示する。
【００２３】
これにより、枠毎に、広告情報を取得する広告情報選択手段を異ならせることができる。
【００２４】
例えば、選択手段によって、選択対象となるデータベースが異なり、選択手段Ａが選択対象とするデータベースＡには、年配者向けの本の広告が登録されており、選択手段Ｂが選択対象とするデータベースＢには、若年者向けの漫画の広告が登録されている場合を考える。このとき、年配者が選択した枠と選択手段Ａとを対応付け、若年者が選択した枠と選択手段Ｂとを対応付ければ、それぞれの世代に対応させた広告を取得し、表示することができる。
【００２５】
本発明に係るコンテンツ表示装置では、上記指示受付部は、上記中断情報表示領域の上記表示部における表示位置の選択、および、上記コンテンツの再生位置の選択を受け付け、上記表示制御手段は、上記指示受付部が受け付けた再生位置における表示位置に、上記中断情報表示領域を配置するものであってもよい。
【００２６】
上記の構成によれば、指示されたコンテンツの再生位置における、表示部上の指示された表示位置に、中断情報表示領域を配置することができる。これにより、任意の位置に中断情報表示領域を配置することができる。
【００２７】
例えば、コンテンツが電子書籍の場合、任意のページの任意の位置に中断情報表示領域を配置することができる。
【００２８】
本発明に係るコンテンツ表示装置では、上記広告情報取得手段は、広告情報を要求する広告情報要求を行って、広告情報を取得するものであり、上記広告情報要求には、上記コンテンツに関する情報であるコンテンツ情報が含まれ、上記広告情報取得手段が取得する広告情報は、上記コンテンツ情報に基づいて選択された広告情報であってもよい。
【００２９】
上記の構成によれば、中断指示を受け付けたときに表示していたコンテンツ、または再開指示を受け付けたときに表示するコンテンツに関するコンテンツ情報に基づいて選択された広告情報を取得し、中断情報表示領域に表示する。
【００３０】
これにより、表示を中断したコンテンツに関連する広告を表示することができる。また、表示していたコンテンツは、ユーザが興味を持っている内容である可能性が高い。よって、コンテンツに関連する広告を表示することで、ユーザが興味を持っている内容の広告を表示することができる。
【００３１】
本発明に係るコンテンツ表示装置では、上記コンテンツは電子書籍であり、上記コンテンツ情報は、該電子書籍の国際標準図書番号、該国際標準図書番号と上記指示受付部が中断指示を受け付けたときの当該電子書籍のページ、該ページに含まれるキーワード、上記国際標準図書番号と上記キーワード、および、上記国際標準図書番号と上記ページと上記キーワードの何れかであってもよい。
【００３２】
上記の構成によれば、電子書籍の国際標準図書番号、該国際標準図書番号と上記指示受付部が中断指示を受け付けたときの当該電子書籍のページ、該ページに含まれるキーワード、上記国際標準図書番号と上記キーワード、および、上記国際標準図書番号と上記ページと上記キーワードの何れかに基づいて選択された広告情報を取得し、中断情報表示領域に表示する。
【００３３】
そして、電子書籍の国際標準図書番号、ページ、キーワードは、当該電子書籍の分野、内容等を示すものである。よって、これらを用いることで、より当該電子書籍に関連した広告情報が選択される。したがって、ユーザに対し、ユーザが読んでいる書籍に、より関連する広告、または、ユーザが直前まで読んでいた内容に関連する広告を表示することができる。以上により、より的確にユーザが興味を持っている内容の広告を表示することができる。
【００３４】
本発明に係るコンテンツ表示装置では、上記コンテンツは動画であり、上記コンテンツ情報は、該動画のタイトル、ジャンル、作成者、中断位置の少なくとも何れかであってもよい。
【００３５】
上記の構成によれば、動画のタイトル、ジャンル、作成者、中断位置の少なくとも何れかに基づいて選択された広告情報を取得し、中断情報表示領域に表示する。
【００３６】
そして、動画のタイトル、ジャンル、作成者、再生位置は、当該動画の分野、内容等を示すものである。よって、これらを用いることで、より当該動画に関連した広告情報が選択される。したがって、ユーザに対し、ユーザが閲覧している動画に、より関連する広告、または、ユーザが直前まで閲覧していた内容に関連する広告を表示することができる。以上により、より的確にユーザが興味を持っている内容の広告を表示することができる。
【００３７】
本発明に係るコンテンツ表示装置では、上記広告情報取得手段は、広告情報を要求する広告情報要求を行って、広告情報を取得するものであり、上記広告情報要求には、自装置に関する情報である装置情報が含まれ、上記広告情報取得手段が取得する広告情報は、上記装置情報に基づいて選択された広告情報であってもよい。
【００３８】
上記の構成によれば、自装置に関する情報である装置情報に基づいて選択された広告情報を取得し、中断情報表示領域に表示するので、自装置に関連する広告を表示することができる。
【００３９】
本発明に係るコンテンツ表示装置では、自装置のＩＤ、自装置の位置を示す位置情報、現在時刻、自装置の表示画面の大きさ、自装置の表示画面の表示色数の少なくとも何れか１つであってもよい。
【００４０】
上記の構成によれば、自装置のＩＤ、自装置の位置、現在時刻、自装置の表示画面の大きさ、自装置の表示画面の表示色数の少なくとも何れか１つに基づいて選択された広告情報を取得し、中断情報表示領域に表示する。
【００４１】
これにより、自装置の位置、現在時刻、表示画面の大きさ、表示色数に応じた広告を表示することができる。
【００４２】
本発明に係るコンテンツ表示装置では、上記広告情報取得手段は、外部の広告サーバから上記広告情報を取得するものであり、オフライン用広告情報を記憶している記憶部を備え、上記広告情報取得手段は、上記広告サーバとの通信が不可能のとき、上記記憶部に記憶されているオフライン用広告情報を取得し、上記表示制御手段は、上記広告情報取得手段が取得したオフライン用広告情報を表示するものであってもよい。
【００４３】
上記の構成によれば、オフライン用広告情報を記憶する記憶部を備え、広告サーバとの通信が不可能とき、記憶部に記憶されているオフライン用広告情報を取得し、表示する。これにより、広告サーバとの通信が不可能なときでも、広告情報を表示することができる。
【００４４】
上記課題を解決するために、本発明に係るサーバは、コンテンツ表広告情報の送信を求める広告情報要求であって、電子書籍の国際標準図書番号、該国際標準図書番号と当該電子書籍のページ、該ページに含まれるキーワード、上記国際標準図書番号と上記キーワード、および、上記国際標準図書番号と上記ページと上記キーワードの何れかである広告選択情報が含まれる広告情報要求を受信する広告情報要求受信手段と、上記広告情報要求受信手段が広告情報要求を受信すると、該広告情報要求と対応付けられた広告情報選択手段であって、上記広告選択情報を用いて広告情報を選択する広告情報選択手段と、上記広告情報選択手段が選択した広告情報を、上記広告情報要求受信手段が受信した広告情報要求の送信元へ送信する広告情報送信手段と、を備えていることを特徴としている。
【００４５】
上記の構成によれば、広告情報要求に含まれる、電子書籍の国際標準図書番号、該国際標準図書番号と当該電子書籍のページ、該ページに含まれるキーワード、上記国際標準図書番号と上記キーワード、および、上記国際標準図書番号と上記ページと上記キーワードの何れかである広告選択情報を用いて広告情報を選択するので、当該電子書籍に関連した広告情報を、広告要求情報の送信元に送信することができる。
【００４６】
上記コンテンツ表示装置と、上記サーバ装置とを含む広告情報配信システムでも、上述した効果を奏することができる。
【００４７】
なお、上記コンテンツ表示装置は、コンピュータによって実現してもよく、この場合には、コンピュータを上記各手段として動作させることにより上記コンテンツ表示装置をコンピュータにて実現させるコンテンツ表示装置の制御プログラム、およびそれを記録したコンピュータ読み取り可能な記録媒体も、本発明の範疇に入る。
【発明の効果】
【００４８】
以上のように、
本発明に係るコンテンツ表示装置は、コンテンツの表示部における表示の中断指示または再開指示を受け付ける指示受付部と、上記指示受付部が中断指示または再開指示を受け付けると、広告情報を取得する広告情報取得手段と、上記広告情報取得手段が取得した広告情報を、表示部の中断情報表示領域に表示するしおり表示手段と、を備えている構成である。
【００４９】
また、本発明に係るコンテンツ表示装置の制御方法は、コンテンツの表示部における表示の中断指示または再開指示を受け付ける指示受付部で中断指示または再開指示を受け付けると、広告情報を取得する広告情報取得ステップと、上記広告情報取得ステップで取得した広告情報を、表示部の中断情報表示領域に表示するしおり表示ステップと、を含む方法である。
【００５０】
これにより、コンテンツ表示の中断指示または再開指示を受け付けたときに、広告表示を行うことができる。よって、コンテンツの表示が中断または再開したときに広告表示を行うので、従来のように、コンテンツの表示の途中で広告が表示され、ユーザのコンテンツの閲覧が妨げられるということがないという効果を奏する。
【００５１】
また、コンテンツ表示の中断指示または再開指示を受け付けたときに、広告情報を取得して、広告を表示するので、予め広告内容が決定している場合と比較して、時機にかなった広告を表示することができるという効果を奏する。
【図面の簡単な説明】
【００５２】
【図１】本発明の実施の形態を示すものであり、電子書籍端末の要部構成を示すブロック図である。
【図２】上記電子書籍端末の外観を示す図である。
【図３】本発明の実施の形態を示すものであり、広告配信システムの要部構成を示すブロック図である。
【図４】上記実施の形態に用いるデータの内容を示す図であり、図４（ａ）はしおりデータ、および広告要求データを示す図であり、図４（ｂ）は広告サーバ情報テーブルを示す図である。
【図５】上記広告配信システムにおける処理の流れを示すフローチャートである。
【図６】上記電子書籍端末における表示例を示す図である。
【図７】上記実施の形態における広告サーバにて選択される広告データの例を説明するための図であり、図７（ａ）は、電子書籍端末が１台の場合の例を示す図であり、図７（ｂ）は複数の書籍の場合の例を示す図であり、図７（ｃ）は電子書籍端末が複数の場合の例を示す図である。
【図８】従来技術を説明するための図である。
【発明を実施するための形態】
【００５３】
本発明の一実施の形態について図１から図７に基づいて説明すれば、以下のとおりである。本実施の形態に係る広告配信システム（広告情報配信システム）５（図３）は、電子書籍端末（コンテンツ表示装置）１、広告管理サーバ（サーバ装置）２、および広告サーバ（サーバ装置）３により構成されている。そして、電子書籍端末１において、「しおり機能」が実行されると、広告サーバ３より送信された広告が電子書籍端末１の「しおり」に表示されるものである。なお、広告サーバ３は１つに限られるものではなく、その数は限定されない。
【００５４】
これにより、ユーザが電子書籍を読むことを妨げることなく、広告表示を可能とすることができる。
【００５５】
なお、本実施の形態において、「しおり機能（再開機能）」とは、ユーザが読書を中断し、その後再開するときに、中断時および再開時の少なくとも何れかに「しおり」を表示するとともに、再開時に、中断した箇所から読書を開始できるように、中断したページを表示する機能をいう。
【００５６】
（電子書籍端末の外観）
まず、図２を用いて、電子書籍端末１の外観について説明する。図２は、電子書籍端末１の外観を示す図である。図２に示すように、表示部１２を備えており、ここに電子書籍の内容が表示される。そして、「しおり」を挿す操作を行うと、しおり機能が動作し、しおり（中断情報）２０１が表示されるとともに、しおり２０１には広告が表示される。また、しおり２０１が表示されている領域がしおり領域（中断情報表示領域）である。
【００５７】
（電子書籍端末の構成）
次に、図１を用いて、電子書籍端末１の要部構成について説明する。図１は、電子書籍端末１の要部構成を示すブロック図である。なお、電子書籍端末１は、ユーザが紙媒体に印刷された本を読むように、電子書籍を表示することができるものである。この電子書籍機能については、公知の技術を用いて行うことができるので、本明細書では、その説明は省略する。
【００５８】
図１に示すように、電子書籍端末１は、しおり処理部１０、操作受付部（指示受付部）１１、表示部１２、通信部１３、記憶部１４、および位置情報取得部１５を含む構成である。
【００５９】
操作受付部１１は、電子書籍端末１に対する操作を受け付けるものである。これは、これは、キーボードや各種機能キーによって構成されていてもよいし、タッチパネル等で構成されていてもよい。
【００６０】
そして、操作受付部１１は、「しおり機能」を実行する操作を受け付けると、その内容をしおり操作受付部２１に通知する。また、操作受付部１１は、「しおり」が選択されたことを受け付けると、その内容をしおり選択受付部２３に通知する。
【００６１】
表示部１２は、情報を表示するものであり、液晶ディスプレイ、有機ＥＬ（Electro Luminescence）ディスプレイ、プラズマディスプレイ等によって、実現されている。なお、操作受付部１１がタッチパネルによって実現されている場合、操作受付部１１と表示部１２とが１つのデバイスとして実現されていてもよい。なお、表示部１２における具体的な表示内容については後述する。
【００６２】
通信部１３は、ネットワークを介して外部の装置と通信を行うものである。本実施の形態では、ネットワークを介して、広告要求データ送信部２４から受信した広告要求データを広告管理サーバ２に送信し、広告管理サーバ２から広告データを受信している。
【００６３】
位置情報取得部１５は、電子書籍端末１の現在位置を取得するものである。電子書籍端末１の現在位置は、図示しないＧＰＳ（Global Positioning System）等を備えることで取得可能である。
【００６４】
記憶部１４は、電子書籍端末１における処理に用いるデータを記憶しているものであり、しおりデータ記憶部３１および書籍データ記憶部３２を含む構成である。記憶部１４は、フラッシュメモリ、ＲＯＭ（Read Only Memory）などの不揮発性のメモリと、ＲＡＭ（Random Access Memory）などの揮発性のメモリとによって構成される。不揮発性のメモリに記憶される内容としては、各種プログラム、各種動作設定値、各種データなどが挙げられる。一方、揮発性のメモリに記憶される内容としては、作業用ファイル、テンポラリファイルなどが挙げられる。
【００６５】
しおりデータ記憶部３１には、「しおり」のデータが記憶されている。具体的には、「しおり」のＩＤ、「しおり」が表示されるときの形状等が記憶されており、さらに、これらとオフライン時における広告データ（オフライン用広告情報）とが対応付けられて記憶されている（図４（ａ））。
【００６６】
また、書籍データ記憶部３２には、電子書籍端末１において表示する書籍のデータが記憶されている。具体的には、書籍のＩＳＢＮ（International Standard Book Number、国際標準図書番号）、書籍の著者、題名、内容等が記憶されている。
【００６７】
しおり処理部１０は、「しおり機能」を実行するものであり、しおり操作受付部２１、しおり選択提示部（選択画面表示手段）２２、しおり選択受付部（選択受付手段）２３、広告要求データ送信部（広告情報取得手段）２４、しおり表示処理部（表示制御手段）２５、および広告データ取得部（広告情報取得手段）２６を含む構成である。
【００６８】
しおり操作受付部２１は、操作受付部１１で「しおり機能」を実行する操作を受け付けると、その内容をしおり選択提示部２２に通知する。
【００６９】
しおり選択提示部２２は、しおり操作受付部２１から、「しおり機能」を実行する操作を受け付けたことを示す通知を受け取ると、しおりデータ記憶部３１に記憶されているしおりデータが示す「しおり」を一覧にして表示部１２に表示する。
【００７０】
しおり選択受付部２３は、しおり選択提示部２２によって一覧として表示された「しおり」からいずれかが選択された操作を操作受付部１１が受け付けると、選択された「しおり」を示す内容を広告要求データ送信部２４に通知する。
【００７１】
広告要求データ送信部２４は、しおり選択受付部２３から選択された「しおり」を示す内容の通知を受け取ると、当該「しおり」のしおりデータ（しおりＩＤ３１１（図４（ａ）））、「しおり機能」が実行されたときの書籍情報（ＩＳＢＮ、表示されているページ、表示されているページに記載されているキーワード等、広告選択情報）３１４、および端末情報（位置情報、現在時刻、表示部１２の表示サイズ、表示部１２の表示色数等）３１５を広告要求データ（図４（ａ））として、通信部１３を介して広告管理サーバ２へ送信する。また、予めユーザの年代や性別を取得しておき、広告要求データ送信部２４は、上記情報に加えて、ユーザの年代や性別を送信するものであってもよい。
【００７２】
また、広告要求データ送信部２４は、「しおり」毎に送信する広告要求データを異ならせてもよい。
【００７３】
なお、しおりＩＤ３１１に含まれる要求情報３１６は、必要なパラメータのリストが記述され、これに基づいて広告要求データ送信部２４から広告要求データが送信されるものであってもよいし、要求情報３１６は広告要求プログラムで、広告要求データ送信部２４が、当該広告要求プログラムを実行することで、広告データ取得部２６が広告を取得するという構成であってもよい。
【００７４】
広告データ取得部２６は、通信部１３を介して、広告管理サーバ２から広告データを取得し、しおり表示処理部２５を送信する。
【００７５】
しおり表示処理部２５は、広告データ取得部２６から取得した広告データをしおり選択受付部２３が受け付けた選択された「しおり」に表示されるように、表示部１２に表示する。
【００７６】
（広告配信システムの構成）
次に、図３を用いて、広告配信システム５の要部構成について説明する。図３は、広告配信システム５の要部構成を示すブロック図である。
【００７７】
図３に示すように、広告配信システム５は、電子書籍端末１、広告管理サーバ２、および広告サーバ３を含む構成である。そして、広告管理サーバ２は、広告要求データ取得部（広告情報要求受信手段）４１、広告データ取得部４２、広告データ送信部（広告情報送信手段）４３、および広告サーバ情報記憶部４４を含む構成ある。また、広告サーバ３は、広告選択部（広告情報選択手段）４５および広告データベース４６を含む構成である。
【００７８】
まず、広告管理サーバ２の構成について説明する。広告サーバ情報記憶部４４は、広告要求データに含まれているしおりＩＤと、広告を選択するためのプログラムを示す広告選択プログラムＵＲＬ（Uniform Resource Locator）とを対応付けた広告サーバ情報テーブル３０１を記憶している（図４（ｂ））。より詳細には、広告サーバ情報テーブル３０１には、しおりＩＤと広告選択プログラムＵＲＬと、当該「しおり」が挿入された書籍の情報（ＩＳＢＮおよびページ）が対応付けられて記憶されている。図４（ｂ）に示す例では、しおりＩＤが「ＩＤ４０１」のしおりには、ＵＲＬが「ＵＲＬ−Ａ」の広告選択プログラムが対応付けられ、さらに、当該「しおり」が挿入された書籍の情報としてＩＳＢＮが「○○○○」でページが「△△」、ＩＳＢＮが「○○○○」でページが「××」、および、ＩＳＢＮが「○○○○」でページが「○△」という情報が対応付けられている。以下、ＩＤ２〜４についても同様である。
【００７９】
なお、しおりＩＤと広告選択プログラムＵＲＬとの対応付けは、例えば、年配者が選択しそうなしおりのしおりＩＤと、年配者向けの広告データベースから広告を選択する広告選択プログラムのＵＲＬとを、対応付けるというものであってもよい。これにより、年代別に対応した広告の提示を行うことができる。
【００８０】
また、広告選択プログラムは、プログラムによって選択対象とする広告データベース４６や選択方法が異なるものである。
【００８１】
例えば、広告選択プログラムＡと、広告選択プログラムＢとが存在する場合に、広告選択プログラムＡはデータベースＡから同じ出版社の本を検索し、その本の広告を選択結果とし、広告選択プログラムＢはデータベースＢから同じ出版社の漫画を検索し、その本の広告を選択結果とするというような違いである。
【００８２】
広告要求データ取得部４１は、電子書籍端末１から広告要求データを取得すると、これを広告データ取得部４２へ送信する。
【００８３】
広告データ取得部４２は、広告要求データ取得部４１から取得した広告要求データに含まれているしおりＩＤと対応付けられた広告選択プログラムＵＲＬを、広告サーバ情報記憶部４４を参照して取得し、当該ＵＲＬが示す広告選択プログラムが選択されるように広告サーバ３に広告要求データを送信する。そして、広告サーバ３から送信された広告データを取得し、広告データ送信部４３に送信する。
【００８４】
広告データ送信部４３は広告データ取得部４２から取得した広告データを電子書籍端末１へ送信する。
【００８５】
次に、広告サーバ３の構成について説明する。
【００８６】
広告データベース４６は、広告データを記憶しているものである。
【００８７】
広告選択部４５は、広告管理サーバ２から広告要求データを取得すると、複数存在する広告選択プログラムのうち、指定された広告選択プログラム（例えば、広告選択プログラムＡ）によって、広告要求データに含まれる、しおりＩＤ３１１、書籍情報３１４、および端末情報３１５を用いて、表示する広告を広告データベース４６から選択し、広告管理サーバ２へ送信する。なお、広告の選択例については、後述する。
【００８８】
以上のように、広告配信システム５では、電子書籍端末１において、「しおり機能」が実行する操作を受け付けると、広告要求データが電子書籍端末１から広告管理サーバ２に送信される。広告管理サーバ２は、広告要求データから、広告データが記憶されている広告サーバ３を選択し、当該広告サーバ３から広告データを取得する。そして、取得した広告データを電子書籍端末１に送信し、電子書籍端末１のしおりに広告データを表示する。
【００８９】
（広告配信システムにおける処理の流れ）
次に、図５、６を用いて、広告配信システム５における処理の流れを説明する。図５は、広告配信システム５における処理の流れを示すフローチャートである。また、図６は、電子書籍端末１における表示例を示す図である。
【００９０】
図５に示すように、まず、広告配信システム５では、電子書籍端末１のしおり操作受付部２１が「しおり機能」の実行を受け付ける（Ｓ１）。このとき、表示部１２では、図６の表示画面例６０１のように、ユーザに対し「しおり」の挿入を確認する表示がなされる。次に、しおり選択提示部２２は、しおりデータ記憶部３１に記憶されている「しおり」を表示部１２に表示する（Ｓ２）。このとき、表示部１２では、表示画面例６０２のように、複数のしおり６１０が表示される。なお、「しおり」それぞれの形状が異なる場合は、それぞれの形状を表示部１２に表示してもよい。また、しおりに画像を表示し、年配者が選択することを好むと考えられる画像や、若年者が選択することを好むと考えられる画像を表示するものであってもよい。
【００９１】
そして、しおり選択受付部２３で、表示された「しおり」のうちのいずれかが選択されたことを受け付けると（Ｓ３）、広告要求データ送信部２４は、電子書籍端末１がネットワークと接続されているか否か判定する（Ｓ４）。そして、広告要求データ送信部２４は、ネットワークと接続されていると判定すると（Ｓ４でＹＥＳ）、広告管理サーバ２に対し、広告要求データを送信する（Ｓ５）。
【００９２】
広告管理サーバ２は、広告要求データを受信すると（Ｓ１１）、広告サーバ情報記憶部４４に記憶されている広告サーバ情報テーブル３０１を参照して広告サーバ３に対し広告要求データを送信する（Ｓ１２）。
【００９３】
そして、広告要求データを受信した広告サーバ３は（Ｓ２１）、広告データベース４６に記憶されている広告データから電子書籍端末１に送信する広告データを選択して（Ｓ２２）、広告管理サーバ２へ送信する（Ｓ２３）。
【００９４】
次に、広告管理サーバ２は、広告データを受信すると（Ｓ１３）、広告要求データの送信元である電子書籍端末１に広告データ送信する（Ｓ１４）。
【００９５】
電子書籍端末１は、広告データを受信すると（Ｓ６、広告情報取得ステップ）、当該広告データを「しおり」に表示する（Ｓ８）。このとき、表示部１２では、表示画面例６０３のようにしおり６１１に広告データが表示される。
【００９６】
一方、広告要求データ送信部２４は、ネットワークと接続されていないと判定すると（Ｓ４でＮＯ）、しおりデータに含まれているオフライン用広告データ３１２を取得して、しおり表示処理部２５へ送信する。そして、しおり表示処理部２５は、オフライン用広告データ３１２を「しおり」に表示する（Ｓ８、しおり表示ステップ）。
【００９７】
以上が、広告配信システム５における処理の流れである。なお、図６に示すように、表示画面例６０３の状態で、電子書籍端末１の電源をオフにした後、電源をオンにすると、表示画面例６０４に示すように、しおり６１１が表示された画面が表示される。
【００９８】
（広告の選択例）
次に、図７を用いて、広告サーバ３で選択される広告データの例について説明する。図７は、広告サーバ３において選択される広告データの例を説明するための図であり、図７（ａ）は、電子書籍端末１が１台の場合の例を示す図であり、図７（ｂ）は電子書籍端末１が２台の場合の例を示す図であり、図７（ｃ）は電子書籍端末１が３台の場合の例を示す図である。
【００９９】
第１の選択例は、広告データベース４６には、広告要求データに含まれるしおりＩＤと広告データとが対応付けられており、広告選択部４５は、しおりＩＤと対応付けられた広告データを選択するというものである。この場合、図７（ａ）に示すように、電子書籍端末１から広告要求データが、広告管理サーバ２を介して、広告サーバ３に送信され、広告サーバ３で選択された広告データが電子書籍端末１に送信される。そして、しおり２０１に広告データが表示される。
【０１００】
第２の選択例は、広告データベース４６には、広告要求データに含まれる書籍情報３１４のページ情報と広告データとが対応付けられており、広告選択部４５は、ページ情報と対応付けられた広告データを選択するというものである。例えば、ページ情報に、或る食品が記載されていることが示されているときに、当該食品の広告データを選択するというものである。これにより、ユーザが読んでいた書籍の内容と関連した広告を表示することができ、広告の効果を高めることができる。なお、この場合も、図７（ａ）に示すように、電子書籍端末１から広告要求データが、広告管理サーバ２を介して、広告サーバ３に送信され、広告サーバ３で選択された広告データが電子書籍端末１に送信される。そして、しおり２０１に広告データが表示される。
【０１０１】
第３の選択例は、広告データベース４６には、広告要求データに含まれる書籍情報３１４のキーワード情報と広告データとが対応付けられており、広告選択部４５は、キーワード情報と対応付けられた広告データを選択するというものである。例えば、キーワード情報が、或る特定の人物の名前を示しているときに、当該人物のサイトのＵＲＬを示す広告データを選択するというものである。これにより、ユーザが読んでいた書籍の内容に直接関連する広告を表示することができ、広告の効果を高めることができる。なお、この場合も、図７（ａ）に示すように、電子書籍端末１から広告要求データが、広告管理サーバ２を介して、広告サーバ３に送信され、広告サーバ３で選択された広告データが電子書籍端末１に送信される。そして、しおり２０１に広告データが表示される。
【０１０２】
第４の選択例は、広告選択部４５は、広告要求データに含まれる書籍情報３１４のＩＳＢＮおよび端末情報３１５の位置情報を用いて、広告データを選択するというものである。例えば、ＩＳＢＮから当該書籍が魚関係の本であることがわかれば、位置情報を用いて、ユーザの近辺に存在する水族館の広告データを選択するというものである。これにより、ユーザが読んでいた書籍の内容と関連した広告を表示することができ、広告の効果を高めることができる。なお、この場合も、図７（ａ）に示すように、電子書籍端末１から広告要求データが、広告管理サーバ２を介して、広告サーバ３に送信され、広告サーバ３で選択された広告データが電子書籍端末１に送信される。そして、しおり２０１に広告データが表示される。
【０１０３】
第５の選択例は、広告選択部４５は、広告要求データに含まれるしおりＩＤ、書籍情報３１４のＩＳＢＮ、および端末情報３１５を用いて、広告データを選択するというものである。例えば、同じ電子書籍端末１において、同じ「しおり」が、シリーズ物の書籍すべてに挿入されると、当該シリーズ物に関連するグッズの広告データを選択するというものである。この場合、広告データは、グッズをプレゼントするというような内容であってもよい。この場合、図７（ｂ）に示すように、電子書籍端末１から広告要求データが、広告管理サーバ２を介して、広告サーバ３に送信され、広告サーバ３で選択された広告データが電子書籍端末１に送信される。そして、複数のしおり２０１に広告データが表示される。
【０１０４】
第６の選択例は、広告選択部４５は、広告要求データに含まれる書籍情報３１４のＩＳＢＮを用いて、広告データを選択するというものである。例えば、同じ書籍に対しては同じ広告データを選択するというものである。この場合、同じ書籍を読んでいる複数のユーザに対し、同じ広告を表示することができる。これは、図７（ｃ）に示すように、電子書籍端末１ａ〜１ｃから広告要求データが、広告管理サーバ２を介して、広告サーバ３に送信され、広告サーバ３で選択された広告データが電子書籍端末１ａ〜１ｃに送信される。そして、それぞれの電子書籍端末１において、しおり２０１に同じ広告データが表示される。
【０１０５】
第７の選択例は、広告要求データに、ユーザのコメントが含まれるというものである。そして、広告データベース４６には、ＩＳＢＮと対応付けてユーザのコメントが記憶されており、広告選択部４５は、次に広告要求データを取得すると、広告要求データに含まれる書籍情報３１４のＩＳＢＮと対応付けられたユーザのコメントを広告データとして選択する。そして、ユーザのコメントを広告データとして送信する。この場合も、図７（ａ）に示すように、電子書籍端末１から広告要求データが、広告管理サーバ２を介して、広告サーバ３に送信され、広告サーバ３で選択された広告データが電子書籍端末１に送信される。そして、しおり２０１に広告データが表示される。
【０１０６】
なお、上記の実施形態では、電子書籍の例で説明したが、本発明はこれに限られるものではない。書籍ではなく、動画を表示し、該動画を中断したときに、動画のタイトル、ジャンル、作成者、再生位置の少なくとも何れかを書籍情報３１４に対応する情報として送信し、広告を取得するものであってもよい。
【０１０７】
また、広告の表示は、「しおり機能」を実行したときだけでなく、ユーザから指示を受けたときに表示するものであってもよい。
【０１０８】
本発明は上述した実施の形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１０９】
（ソフトウェアによる構成）
最後に、電子書籍端末１、広告管理サーバ２、および広告サーバ３の各ブロック、特に電子書籍端末１のしおり処理部１０（しおり操作受付部２１、しおり選択提示部２２、しおり選択受付部２３、広告要求データ送信部２４、しおり表示処理部２５、広告データ取得部２６）、広告管理サーバ２の広告要求データ取得部４１、広告データ取得部４２、広告データ送信部４３、および広告サーバ３の広告選択部４５は、集積回路（ＩＣチップ）上に形成された論理回路によってハードウェア的に実現していてもよいし、ＣＰＵ（central processing unit）を用いてソフトウェア的に実現してもよい。
【０１１０】
後者の場合、電子書籍端末１、広告管理サーバ２、および広告サーバ３は、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである電子書籍端末１、広告管理サーバ２、および広告サーバ３の制御プログラムのプログラムコード（実行形式プログラム、中間コードプログラム、ソースプログラム）をコンピュータで読み取り可能に記録した記録媒体を、上記の電子書籍端末１、広告管理サーバ２、および広告サーバ３に供給し、そのコンピュータ（またはＣＰＵやＭＰＵ（microprocessor unit））が記録媒体に記録されているプログラムコードを読み出し実行することによっても、達成可能である。
【０１１１】
上記記録媒体としては、例えば、磁気テープやカセットテープ等のテープ類、フロッピー（登録商標）ディスク／ハードディスク等の磁気ディスクやＣＤ−ＲＯＭ（compact disc read-only memory）／ＭＯ（magneto-optical）／ＭＤ（Mini Disc）／ＤＶＤ（digital versatile disk）／ＣＤ−Ｒ（CD Recordable）等の光ディスクを含むディスク類、ＩＣカード（メモリカードを含む）／光カード等のカード類、マスクＲＯＭ／ＥＰＲＯＭ（erasable programmable read-only memory）／ＥＥＰＲＯＭ（electrically erasable and programmable read-only memory）／フラッシュＲＯＭ等の半導体メモリ類、あるいはＰＬＤ（Programmable logic device）やＦＰＧＡ（Field Programmable Gate Array）等の論理回路類などを用いることができる。
【０１１２】
また、電子書籍端末１、広告管理サーバ２、および広告サーバ３を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ（local area network）、ＩＳＤＮ（integrated services digital network）、ＶＡＮ（value-added network）、ＣＡＴＶ（community antenna television）通信網、仮想専用網（virtual private network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ（institute of electrical and electronic engineers）１３９４、ＵＳＢ、電力線搬送、ケーブルＴＶ回線、電話線、ＡＤＳＬ（asynchronous digital subscriber loop）回線等の有線でも、ＩｒＤＡ（infrared data association）やリモコンのような赤外線、Ｂｌｕｅｔｏｏｔｈ（登録商標）、ＩＥＥＥ８０２．１１無線、ＨＤＲ（high data rate）、ＮＦＣ（Near Field Communication）、ＤＬＮＡ（Digital Living Network Alliance）、携帯電話網、衛星回線、地上波デジタル網等の無線でも利用可能である。
【産業上の利用可能性】
【０１１３】
ユーザの読書を妨げずに広告を表示させることができるので、電子書籍を表示する装置に好適である。
【符号の説明】
【０１１４】
１    電子書籍端末（コンテンツ表示装置）
２    広告管理サーバ（サーバ装置）
３    広告サーバ（サーバ装置）
５    広告配信システム（広告情報配信システム）
１１    操作受付部（指示受付部）
１２    表示部
１４    記憶部
２２    しおり選択提示部（選択画面表示手段）
２３    しおり選択受付部（選択受付手段）
２４    広告要求データ送信部（広告情報取得手段）
２５    しおり表示処理部（表示制御手段）
２６    広告データ取得部（広告情報取得手段）
４１    広告要求データ取得部（広告情報要求受信手段）
４３    広告データ送信部（広告情報送信手段）
４５    広告選択部（広告情報選択手段）
２０１    しおり（中断情報）
３１４    書籍情報（広告選択情報）
【図１】
0005666213.tif 000002
【図２】
0005666213.tif 000003
【図３】
0005666213.tif 000004
【図４】
0005666213.tif 000005
【図５】
0005666213.tif 000006
【図６】
0005666213.tif 000007
【図７】
0005666213.tif 000008
【図８】
0005666213.tif 000009